(57)【要約】      （修正有）【課題】操作対象を明確にすることができるテレビジョン受信装置を提供する。【解決手段】表示画面例として、画面表示部１には、テレビ番組表示５と、外部入力表示画面と、インターネットに基づくＷｅｂ表示画面１１と、の３画面表示がなされている。この多画面表示中に、ＯＳＤ表示として縮小表示の中で操作対象となっている画面を視覚的に特定する表示２１と、音量表示１７と、を含む縮小表示１５とが画面１１上に表示される。表示２１において、それぞれの画面の縮小表示２１ａには地上デジタルの文字表示が、縮小表示２１ｂにはＶＴＲのビデオ入力の絵の表示が、縮小表示２１ｃはインターネットの絵の表示が行われている。このような表示を行うことで、現在操作対象が地上デジタルであることの他に、画面のソースを明示することができる。【選択図】図１
2008172505.tif 000002
【特許請求の範囲】
【請求項１】
多画面表示可能なテレビジョン受信装置であって、
操作対象画面が視覚的に認識可能な形態で表示画面構成の縮小表示を生成するＯＳＤ画面生成部を有することを特徴とするテレビジョン受信装置。
【請求項２】
前記縮小表示に加えて、制御するための操作に関する表示を行うことを特徴とする請求項１に記載のテレビジョン受信装置。
【請求項３】
前記縮小表示を前記表示画面に対する操作に応じて行うことを特徴とする請求項１又は２に記載のテレビジョン受信装置。
【請求項４】
さらに、前記縮小表示に、表示のためのソースを認識させるマークを付加することを特徴とする請求項１から３までのいずれか１項に記載のテレビジョン受信装置。
【請求項５】
さらに、前記縮小表示に、制御するための操作に関する表示を重畳させて表示することを特徴とする請求項２又は３に記載のテレビジョン受信装置。
【請求項６】
テレビジョン受信装置に対する制御操作を検出した際に、現在の表示画面構成と制御対象画面とを検索するステップと、
前記現在の表示画面構成を、制御対象画面が視覚的に認識可能な形態でＯＳＤ表示させるステップと
を有することを特徴とするテレビジョン受信装置の制御方法。
【請求項７】
コンピュータに、請求項６に記載のステップを実行させるためのプログラム。
【発明の詳細な説明】
【技術分野】
【０００１】
本発明は、テレビジョン受信装置に関し、特に、多画面表示可能なテレビジョン受信装置に関する。
【背景技術】
【０００２】
テレビジョン受信装置において、２つ以上のチューナ又は１つのチューナに加えて外部からの入力信号に基づく２種類以上の番組を同時に表示させる多画面表示機能が付加されているものがある。
【０００３】
このような多画面表示機能を有するテレビジョン受信装置においては、現在の操作対象がいずれの画面であるかをユーザに提示する必要が生じてくる。
【０００４】
例えば、特許文献１に記載の多画面表示テレビジョン受信装置においては、多画面表示時に、映像を著しく阻害することなく、各画面の情報等を提示可能とすることにより、操作性を向上させる技術が記載されている。この技術では、１）表示画面上の操作対象の画面状態を制御するためのメニュー表示を操作対象の画面上にオンスクリーン表示させる。さらに画面の大きさに応じて拡大・縮小表示する。２）表示画面上の操作対象の画面状態を制御するためのメニュー表示を操作対象以外の画面上にオンスクリーン表示させることも記載されている。
【０００５】
【特許文献１】特開平７-１６２７７９号公報
【発明の開示】
【発明が解決しようとする課題】
【０００６】
上記技術には、以下のような問題がある。例えば、上記１）に記載の技術では、操作対象画面表示がオンスクリーン表示によって阻害されるという問題がある。また、画面の構成によっては表示しきれなくなる（小さすぎて見えなくなる）という問題もある。さらに、対象が３画面以上の場合を考慮していない。
【０００７】
また、上記２）に記載の技術では、操作対象画面とオンスクリーン表示とが干渉して醜くなることはないが、３画面以上の表示になった場合にオンスクリーン表示の制御対象がいずれの画面であるか分かりにくい。
【０００８】
本発明は、操作対象を明確にすることができるテレビジョン受信装置を提供することを目的とする。
【課題を解決するための手段】
【０００９】
本発明は、OSD（オンスクリーン）表示上に、現在の画面構成と画面の対象を表す図形を配置することにより、そのOSD表示がどの画面に対する表示であるのかを明確化することを特徴とする。
【００１０】
すなわち、本発明の一観点によれば、多画面表示可能なテレビジョン受信装置であって、操作対象画面が視覚的に認識可能な形態で表示画面構成の縮小表示を生成するＯＳＤ画面生成部を有することを特徴とするテレビジョン受信装置が提供される。これにより、現在操作している画面がどの画面であるかを簡単に知らせることができる。また、前記縮小表示に加えて、制御するための操作に関する表示を行うことが好ましい。これにより、どの画面に関してどのように制御されたかを一目で知ることができる。前記縮小表示を前記表示画面に対する操作に応じて行うことが好ましい。これにより、操作時に縮小表示を知ることができる。さらに、前記縮小表示に、表示のためのソースを認識させるマークを付加しても良い。さらに、前記縮小表示に、制御するための操作に関する表示を重畳させて表示させても良い。
【００１１】
本発明の他の観点によれば、テレビジョン受信装置に対する制御操作を検出した際に、現在の表示画面構成と制御対象画面とを検索するステップと、前記現在の表示画面構成を、制御対象画面が視覚的に認識可能な形態でＯＳＤ表示させるステップと、を有することを特徴とするテレビジョン受信装置の制御方法が提供される。本発明は、コンピュータに、上記ステップを実行させるためのプログラム又はそれを記録したコンピュータ読みとり可能な記録媒体であっても良い。
【発明の効果】
【００１２】
本発明によれば、多画面表示における制御対象画面を明確に知ることができるという利点がある。
【発明を実施するための最良の形態】
【００１３】
以下に、本発明の一実施の形態による多画面表示可能なテレビジョン受信装置について図面を参照しながら説明を行う。図１は、本実施の形態によるテレビジョン受信装置の画面表示例を示す図である。図２は、本実施の形態によるテレビジョン受信装置の一構成例を示す機能ブロック図である。図２に示すように、本実施の形態によるテレビジョン受信装置Ａは、表示部１と、アンテナ３１と、第１受信部３３ａと、第１映像処理部３５ａと、第２受信部３３ｂと、第２映像処理部３５ｂと、を有している。さらに、外部からの信号を入力する外部入力部４７と、その信号を処理する映像処理部５１と、例えばインターネットなどのネットワーク５３からの映像／画像の処理を行う映像／画像処理部５５と、を有している。これらの映像処理部３５ａ、３５ｂ、５１、５５からは、それぞれ第１から第４までの縮小映像信号が、マルチ画面処理部３７に入力される。さらに、全体を制御する制御部４１と、ＯＳＤ画面を生成するＯＳＤ画面生成部４５と、を有している。
【００１４】
例えばリモコン装置からの制御信号Ｓ１が出されると、制御部４１はその制御信号Ｓ１と、マルチ画面処理部３７からのマルチ画面の表示構成とに基づいて、ＯＳＤ画面生成部４５に対して、現在の画面構成の縮小表示と、操作対象画面を特定可能にする表示とをさせるための信号Ｓ３を出力する。これに基づいて、ＯＳＤ画面生成部４５は、表示部１に下記のようなＯＳＤ表示を行わせる。
【００１５】
図１（Ａ）は、本実施の形態による多画面表示機能を有するテレビジョン受信装置Ａの正面図である。本実施の形態によるテレビジョン受信装置Ａは、画面表示部１と、スタンド３と、を有しており、表示画面例として、画面表示部１には、テレビ番組表示（地上デジタル放送）５と、外部入力（ビデオ）に基づく外部入力表示画面７と、インターネットに基づくＷｅｂ表示画面１１と、の３画面表示がなされている。
【００１６】
このような多画面表示中に、ＯＳＤ表示として現在の画面構成の縮小表示１５であってその縮小表示の中で操作対象となっている画面を視覚的に特定する表示２１と、その画面を制御するための操作に関する例えば音量表示１７と、を含む縮小表示１５とが画面１１上に表示される。但し、音量表示１７などの制御表示は任意に表示すれば良い。音量表示を画面構成の縮小表示のうち操作対象の画面上に表示させても良い。また、表示タイミングは、操作が行われた直後が好ましい。その後、表示を維持しても良いが、操作直後にのみ表示させる方がコンテンツの表示の邪魔にならないという利点がある。さらに、操作対象となっている画面を視覚的に特定する表示２１を表示させるための専用ボタンをリモコンに設けても良い。
【００１７】
図１（Ａ）に拡大して示すように、操作対象となっている画面を視覚的に特定する表示２１において、それぞれの画面の縮小表示２１ａには地上デジタルの文字表示が、縮小表示２１ｂにはＶＴＲのビデオ入力の絵の表示が、縮小表示２１ｃはインターネットの絵の表示が行われている。このような表示を行うことで、現在操作対象が地上デジタルであることの他に、画面のソースを明示することができる。これにより、多画面のそれぞれがどのソースに基づく表示であるかを示すことができる。
【００１８】
また、図１（Ｂ）に示すように、制御対象の画面が２１ａ、２１ｃのように複数になっても、操作対象となる画面と操作対象でない画面との区別が視覚的にわかりやすいようにすることができる。
【００１９】
図３は、本実施の形態による画面表示処理の流れを示すフローチャート図である。図３に示すように、まず、ステップＳ１において処理を開始し、ステップＳ２においてリモコン操作等による制御信号の検出を行う。制御信号が検出されると（Ｙｅｓ）、ステップＳ３において画面状態の検出を行い、ステップＳ４において表示アイコンのＯＳＤ表示データを生成する。ステップＳ５において、その信号に基づいて上記のようなＯＳＤ表示を表示部に行う。新たに制御信号が検出された場合には、再びステップ２からステップ３に進み、画面状態の検出を行う。
【００２０】
以上のように処理を行うことで、ユーザは、操作を行った際に、制御に関する表示とともに、操作対象の画面を視覚的に確認することができ、制御しやすくなるという利点がある。
【００２１】
図４及び図５は、上記処理に基づく画面におけるＯＳＤ表示の切り替わりを示す図である。図４（Ａ）は、多画面表示可能なテレビジョン受信装置Ａにおいて１画面表示５１を行っている様子と、その際のＯＳＤ表示例を示す図である。この１画面に対してリモコン装置から音量の調節ボタンが押されると、ＯＳＤ表示１５としては、画面構成表示５５ａとして１画面表示である旨が示される。ここでは、画面全体においてその周囲を囲むように色表示がなされ、１画面表示であって、かつ、表示部全体の表示がなされていることが示される。この際、制御に基づいた音量表示５３も合わせて行われている。
【００２２】
図４（Ｂ）は、２画面表示を行っている場合に、その表示部１の画面において、２画面表示５１ａ・５１ｂが行われ、そのうち画面５１ａに関する音量制御の操作がなされると、その画面構成表示５５のうちの位置的に対応する方の画面構成表示５５ａに視覚的にわかるようになっている。
【００２３】
図５（Ａ）は３画面表示６３ａ、６３ｂ、６３ｃが表示されている場合に、表示画面のうちの１つである画面表示６３ａに対してリモコンから音声調整の表示がなされると、ＯＳＤ表示１５がなされ、画面構成表示６１において、表示画面６３ａに対応する位置のＯＳＤ表示６１ａが制御対象であることが視覚的に認識できるように例えば色表示がなされている。加えて、音量調整表示５３が行われている。
【００２４】
同様に、図５（Ｂ）に示すように、３画面表示のうちの２画面に対して音量調整操作を行う場合には、表示画面７３ａ・７３ｃに対応する位置のＯＳＤ表示７１ａ・７１ｃが制御対象であることが視覚的に認識できるように例えば色表示がなされている。加えて、音量調整表示５３が行われている。
【００２５】
以上に説明したように、多画面表示時に、操作対象となる画面状態を制御するためのＯＳＤ表示を行う場合に、ＯＳＤ表示上に現在の画面構成と画面の対象を表す図形を配置することによって、そのＯＳＤ表示の操作対象がどの画面であるかをユーザにわかりやすくすることができる。従って、ＯＳＤ画面の見易さを１画面時と同等に保ったまま、そのＯＳＤ表示の制御対象がどの画面であるかをユーザに分かりやすくすることができる。
【００２６】
尚、図３のフローチャート図に示すように、テレビジョン受信装置に対する制御操作を検出した際に、現在の表示画面構成と制御対象画面とを検索するステップと、現在の表示画面構成を、制御対象画面が視覚的に認識可能な形態でＯＳＤ表示させるステップと、を有することを特徴とするテレビジョン受信装置の制御方法も本発明に含まれる。さらに、本発明は、コンピュータに、上記ステップを実行させるためのプログラム又はそれを記録したコンピュータ読みとり可能な記録媒体であっても良い。
【産業上の利用可能性】
【００２７】
本発明は、多画面表示機能を有するテレビジョン受信装置に利用可能である。
【図面の簡単な説明】
【００２８】
【図１】図１は、本実施の形態によるテレビジョン受信装置の画面表示例を示す図である。
【図２】図２は、本実施の形態によるテレビジョン受信装置の一構成例を示す機能ブロック図である。
【図３】本実施の形態による画面表示処理の流れを示すフローチャート図である。
【図４】画面におけるＯＳＤ表示の切り替わりを示す図である。
【図５】画面におけるＯＳＤ表示の切り替わりを示す図である。
【符号の説明】
【００２９】
Ａ…テレビジョン受信装置、１…画面表示部、３…スタンド、５…テレビ番組表示（地上デジタル放送）、７…外部入力（ビデオ）に基づく外部入力表示画面、１１…インターネットに基づくＷｅｂ表示画面、１５…現在の画面構成の縮小表示、１７…音量表示、２１…操作対象となっている画面を視覚的に特定する表示。
【図１】
2008172505.tif 000003
【図２】
2008172505.tif 000004
【図３】
2008172505.tif 000005
【図４】
2008172505.tif 000006
【図５】
2008172505.tif 000007